(57)【要約】ＮＤフィルタの効果を見比べながら撮像することができる撮像装置、撮像装置の制御方法、及び撮像装置の制御プログラムを提供する。撮像光学系を通して被写体を撮像素子により撮像して得られた画像信号を出力する撮像部と、画像信号に応じた撮像画像を表示する表示部と、撮像画像における被写体の画像が含まれる分割対象領域を分割した複数の分割領域毎に、露出の度合いが異なる画像として表示部に表示させる制御を行う制御部と、を備える。
2018235382.tif 000002
【特許請求の範囲】
【請求項１】
撮像光学系を通して被写体を撮像素子により撮像して得られた画像信号を出力する撮像部と、
前記画像信号に応じた撮像画像を表示する表示部と、
前記撮像画像における被写体の画像が含まれる分割対象領域を分割した複数の分割領域毎に、前記分割領域の画像を露出の度合いが異なる画像として前記表示部に表示させる制御を行う制御部と、
を備えた撮像装置。
【請求項２】
前記制御部は、前記複数の分割領域毎に露出の度合いを、前記複数の分割領域の並び方向に予め定められた割合で異ならせる、
請求項１に記載の撮像装置。
【請求項３】
前記複数の分割領域の数は、前記被写体の画像の大きさに応じた数である、
請求項１または請求項２に記載の撮像装置。
【請求項４】
前記分割対象領域を分割する方向は、前記分割対象領域の形状に応じた方向である、
請求項１から請求項３のいずれか１項に記載の撮像装置。
【請求項５】
前記制御部は、前記撮像画像から前記分割対象領域として、前記撮像画像の一部の領域である被写体の画像を含む被写体領域を少なくとも１つ抽出し、抽出した前記被写体領域を分割した複数の分割領域毎に、露出の度合いが異なる画像として前記表示部に表示させる制御を行う、
請求項１に記載の撮像装置。
【請求項６】
前記制御部は、前記複数の分割領域と異なる、前記撮像画像を分割して得られた複数の撮像領域のうち、露出の度合いの制御を行う前記撮像領域の画像の露出の度合いを、前記複数の分割領域のいずれか１つの分割領域に応じた画像の露出の度合いとする、
請求項１から請求項５のいずれか１項に記載の撮像装置。
【請求項７】
前記複数の分割領域の各々は、露出の度合いの制御を行う前記撮像領域の一部を含む、
請求項６に記載の撮像装置。
【請求項８】
前記制御部は、前記撮像画像の露出の度合いを、前記表示部に表示された前記複数の分割領域から選択された分割領域に対応する画像に応じた露出の度合いとする、
請求項１から請求項５に記載の撮像装置。
【請求項９】
前記制御部は、前記撮像画像における、予め定められた閾値より輝度が高い領域を、露出の度合いの制御を行う前記撮像領域とする、
請求項６または請求項７に記載の撮像装置。
【請求項１０】
前記制御部は、前記撮像画像の輝度と画素数との対応関係を表すヒストグラムを導出し、前記ヒストグラムにおいて予め定められた条件を満たす輝度に基づいて前記撮像画像から導出した境界線を用いて、前記撮像画像を複数の撮像領域に分割する、
請求項６から請求項９のいずれか１項に記載の撮像装置。
【請求項１１】
前記制御部は、前記ヒストグラムにおいて、輝度値のピークとピークとの谷間に応じた輝度値を、前記境界線の輝度とする、
請求項１０に記載の撮像装置。
【請求項１２】
前記制御部は、露出の度合いを制御する単位となる第１の解像度が、前記撮像画像の第２の解像度よりも低い場合は、前記境界線を用いて、前記第２の解像度に応じて前記撮像画像を複数の領域に分割し、前記複数の領域に基づいて、前記撮像画像を、前記第１の解像度に応じた複数の撮像領域に分割する、
請求項１０または請求項１１に記載の撮像装置。
【請求項１３】
前記制御部は、さらに、前記分割対象領域のダイナミックレンジを制御する、
請求項１から請求項１２のいずれか１項に記載の撮像装置。
【請求項１４】
撮像光学系を通して被写体を撮像素子により撮像して得られた画像信号に応じた撮像画像を表示部に表示させ、
前記撮像画像における被写体の画像が含まれる分割対象領域を分割した複数の分割領域毎に、前記分割領域の画像を露出の度合いが異なる画像として前記表示部に表示させる制御を行う、
処理を含む撮像装置の制御方法。
【請求項１５】
コンピュータに、
撮像光学系を通して被写体を撮像素子により撮像して得られた画像信号に応じた撮像画像を表示部に表示させ、
前記撮像画像における被写体の画像が含まれる分割対象領域を分割した複数の分割領域毎に、前記分割領域の画像を露出の度合いが異なる画像として前記表示部に表示させる制御を行う、
処理を実行させるための撮像装置の制御プログラム。
【発明の詳細な説明】
【技術分野】
【０００１】
本開示の技術は、撮像装置、撮像装置の制御方法、及び撮像装置の制御プログラムに関する。
【背景技術】
【０００２】
撮像素子により撮像光学系を通して被写体を撮像する撮像装置において、ＮＤ（Neutral Density）フィルタを用いて撮像を行う技術が知られている。また、撮像光学系に対して物理的なＮＤフィルタを設けたことと同等の効果を得るための技術として、いわゆる、デジタルＮＤフィルタ処理（以下、単に「ＮＤフィルタ処理」という）と呼ばれる技術が知られている。例えば、特許文献１には、画像を複数の部分領域に分割し、各分割領域に対するＮＤフィルタ処理の効果を徐々に異ならせる技術が開示されている。【０００３】
一方、特許文献２及び特許文献３には、画像処理の効果が異なる画像を並べて表示させることにより、画像処理の効果を見比べる技術が開示されている。
【先行技術文献】
【特許文献】
【０００４】
【特許文献１】特開２０１６−１８７１７２号公報
【特許文献２】特開２０１４−１１０６０７号公報
【特許文献３】特開２００９−２９０８１８号公報
【発明の概要】
【発明が解決しようとする課題】
【０００５】
しかしながら、特許文献１に記載の技術では、被写体の画像に対する画像処理の効果を見比べられるとは限らず、また見比べ難い場合があった。また、上記特許文献２及び特許文献３に開示されている技術においても、画像処理の効果が異なる画像を見比べられるものの、必ずしも、被写体の画像に対する画像処理の効果を見比べられるとは限らず、また見比べ難い場合があった。【０００６】
本開示は、上記事情を考慮して成されたものであり、ＮＤフィルタの効果を見比べながら撮像することができる撮像装置、撮像装置の制御方法、及び撮像装置の制御プログラムを提供することを目的とする。
【課題を解決するための手段】
【０００７】
上記目的を達成するために、本開示の第１の態様の撮像装置は、撮像光学系を通して被写体を撮像素子により撮像して得られた画像信号を出力する撮像部と、画像信号に応じた撮像画像を表示する表示部と、撮像画像における被写体の画像が含まれる分割対象領域を分割した複数の分割領域毎に、分割領域の画像を露出の度合いが異なる画像として表示部に表示させる制御を行う制御部と、を備える。【０００８】
第２の態様の撮像装置は、第１の態様の撮像装置において、制御部は、複数の分割領域毎に露出の度合いを、複数の分割領域の並び方向に予め定められた割合で異ならせる、とされている。【０００９】
第３の態様の撮像装置は、第１の態様または第２の態様の撮像装置において、複数の分割領域の数は、被写体の画像の大きさに応じた数とされている。【００１０】
第４の態様の撮像装置は、第１の態様から第３の態様のいずれか１態様の撮像装置において、分割対象領域を分割する方向は、分割対象領域の形状に応じた方向とされている。【００１１】
第５の態様の撮像装置は、第１の態様の撮像装置において、制御部は、撮像画像から前記分割対象領域として、撮像画像の一部の領域である被写体の画像を含む被写体領域を少なくとも１つ抽出し、抽出した前記被写体領域を分割した複数の分割領域毎に、露出の度合いが異なる画像として前記表示部に表示させる制御を行うとされている。
第６の態様の撮像装置は、第１の態様から第５の態様のいずれか１態様の撮像装置において、制御部は、複数の分割領域と異なる、撮像画像を分割して得られた複数の撮像領域のうち、露出の度合いの制御を行う撮像領域の画像の露出の度合いを、複数の分割領域のいずれか１つの分割領域に応じた画像の露出の度合いとされている。【００１２】
第７の態様の撮像装置は、第６の態様の撮像装置において、複数の分割領域の各々は、露出の度合いの制御を行う撮像領域の一部を含む、とされている。【００１３】
第８の態様の撮像装置は、第１の態様から第５の態様のいずれか１態様の撮像装置において、制御部は、撮像画像の露出の度合いを、表示部に表示された複数の分割領域から選択された分割領域に対応する画像に応じた露出の度合いとする、とされている。【００１４】
第９の態様の撮像装置は、第６の態様または第７の態様の撮像装置において、制御部は、撮像画像における、予め定められた閾値より輝度が高い領域を、露出の度合いの制御を行う撮像領域とする、とされている。【００１５】
第１０の態様の撮像装置は、第６の態様から第９の態様のいずれか１態様の撮像装置において、制御部は、撮像画像の輝度と画素数との対応関係を表すヒストグラムを導出し、ヒストグラムにおいて予め定められた条件を満たす輝度に基づいて撮像画像から導出した境界線を用いて、撮像画像を複数の撮像領域に分割する、とされている。【００１６】
第１１の態様の撮像装置は、第１０の態様の撮像装置において、制御部は、ヒストグラムにおいて、輝度値のピークとピークとの谷間に応じた輝度値を、境界線の輝度とする、とされている。【００１７】
第１２の態様の撮像装置は、第１０の態様または第１１の態様の撮像装置において、制御部は、露出の度合いを制御する単位となる第１の解像度が、撮像画像の第２の解像度よりも低い場合は、境界線を用いて、第２の解像度に応じて撮像画像を複数の領域に分割し、複数の領域に基づいて、撮像画像を、第１の解像度に応じた複数の撮像領域に分割する、とされている。【００１８】
第１３の態様の撮像装置は、第１の態様から第１２の態様のいずれか１態様の撮像装置において、制御部は、さらに、分割対象領域のダイナミックレンジを制御する、とされている。【００１９】
第１４の態様の撮像装置の制御方法は、撮像光学系を通して被写体を撮像素子により撮像して得られた画像信号に応じた撮像画像を表示部に表示させ、撮像画像における被写体の画像が含まれる分割対象領域を分割した複数の分割領域毎に、分割領域の画像を露出の度合いが異なる画像として表示部に表示させる制御を行う、処理を含む。【００２０】
第１５の態様の撮像装置の制御プログラムは、コンピュータに、撮像光学系を通して被写体を撮像素子により撮像して得られた画像信号に応じた撮像画像を表示部に表示させ、撮像画像における被写体の画像が含まれる分割対象領域を分割した複数の分割領域毎に、分割領域の画像を露出の度合いが異なる画像として表示部に表示させる制御を行う、処理を実行させるためのものである。
【発明の効果】
【００２１】
本開示によれば、ＮＤフィルタの効果を見比べながら撮像することができる。
【図面の簡単な説明】
【００２２】
【図１】実施形態の撮像装置の外観の一例を示す斜視図である。
【図２】実施形態の撮像装置の背面側の外観の一例を示す背面図である。
【図３】実施形態の撮像装置のハードウェア構成の一例を示すブロック図である。
【図４】実施形態の表示制御処理の流れの一例を示すフローチャートである。
【図５】ライブビュー画像の一例を示す図である。
【図６】実施形態の露出制御範囲決定処理の一例を示すフローチャートである。
【図７】ライブビュー画像のヒストグラムの一例を示す図である。
【図８】撮像装置のＣＰＵにより決定された位置に境界線が表示された状態のライブビュー画像の一例を示す図である。
【図９】ライブビュー画像において決定された境界線の一例を説明するための図である。
【図１０】ＮＤフィルタの効果（透過率）を異ならせた複数の状態を見比べられる状態のライブビュー画像の一例を示す図である。
【図１１】ＮＤフィルタの効果（透過率）を異ならせた複数の状態を見比べられる状態のライブビュー画像の他の例を示す図である。
【図１２】ＮＤフィルタの効果（透過率）を異ならせた複数の状態を見比べられる状態のライブビュー画像の他の例を示す図である。
【図１３】分割領域の数や分割方向を決定する他の方法を説明するための図である。
【図１４】分割領域の数や分割方向を決定する他の方法を説明するための図である。
【図１５】ＮＤフィルタによりライブビュー画像全体の光量を１／２に制御した場合のライブビュー画像の表示例を示す図である。
【図１６】分割領域に対するマーキングの一例を示す図である。
【図１７】ライブビュー画像を輝度値に基づいて複数の撮像領域に分割する他の方法を説明するための図である。
【図１８】ライブビュー画像を輝度値に基づいて複数の撮像領域に分割する他の方法を説明するための図である。
【図１９】ライブビュー画像を輝度値に基づいて複数の撮像領域に分割する他の方法を説明するための図である。
【図２０】ライブビュー画像を輝度値に基づいて複数の撮像領域に分割する他の方法を説明するための図である。
【図２１】実施形態の表示制御処理プログラムが記憶された記憶媒体から表示制御処理プログラムが撮像装置本体にインストールされる態様の一例を示す概念図である。
【発明を実施するための形態】
【００２３】
以下、図面を参照して本開示の技術を実施するための形態例を詳細に説明する。
【００２４】
まず、図１〜図３を参照して、本実施形態の撮像装置１０の構成の一例について説明する。一例として図１に示すように、本実施形態の撮像装置１０は、レンズ交換式のデジタルカメラであり、撮像装置本体１２及び撮像レンズ１４を含む。
【００２５】
撮像レンズ１４は、撮像装置本体１２に対して交換可能に装着される。撮像レンズ１４の鏡筒には、マニュアルフォーカスモード時に使用されるフォーカスリング１６が設けられている。撮像レンズ１４は、レンズユニット１８を含む。本実施形態のレンズユニット１８が、本開示の撮像光学系の一例である。
【００２６】
レンズユニット１８は、フォーカスレンズ２０を含む複数のレンズが組み合わされた組み合わせレンズである。フォーカスレンズ２０は、フォーカスリング１６の手動による回転操作に伴って光軸Ｌ１方向に移動し、被写体距離に応じた合焦位置で後述の撮像素子２２の受光面２２Ａ（図３参照）に、被写体を示す反射光である被写体光が結像される。
【００２７】
撮像装置本体１２の上面には、ダイヤル２４及びレリーズボタン２６が設けられている。ダイヤル２４は、撮像モードと再生モードとの切り替え等の各種設定の際に操作される。従って、撮像装置１０では、ダイヤル２４がユーザによって操作されることにより、動作モードとして撮像モードと再生モードとが選択的に設定される。
【００２８】
撮像装置１０は、撮像系の動作モードとして、静止画撮像モードと動画撮像モードとを有する。静止画撮像モードは、撮像装置１０により被写体が撮像されて得られた静止画像を記録する動作モードであり、動画撮像モードは、撮像装置１０により被写体が撮像されて得られた動画像を記録する動作モードである。
【００２９】
レリーズボタン２６は、撮像準備指示状態と撮像指示状態との２段階の押圧操作が検出可能に構成されている。撮像準備指示状態とは、例えば待機位置から中間位置（半押し位置）まで押下される状態を指し、撮像指示状態とは、中間位置を超えた最終押下位置（全押し位置）まで押下される状態を指す。なお、以下では、「待機位置から半押し位置まで押下される状態」を「半押し状態」といい、「待機位置から全押し位置まで押下される状態」を「全押し状態」という。
【００３０】
オートフォーカスモードでは、レリーズボタン２６を半押し状態にすることにより撮像条件の調整が行われ、その後、引き続き全押し状態にすると本露光が行われる。つまり、レリーズボタン２６を半押し状態にすることによりＡＥ（Auto Exposure）機能が働いて露出状態が設定された後、ＡＦ（Auto Focus）機能が働いて合焦制御され、レリーズボタン２６を全押し状態にすると撮像が行われる。
【００３１】
一例として図２に示すように、撮像装置本体１２の背面には、ディスプレイ２８、十字キー３０、ＭＥＮＵ／ＯＫキー３２、ＢＡＣＫ／ＤＩＳＰボタン３４、ファインダ３６、及びタッチパネル３８が設けられている。
【００３２】
ディスプレイ２８は、例えば、ＬＣＤ（Liquid Crystal Display）であり、撮像装置１０により被写体が撮像されることで得られた画像及び文字等を表示する。本実施形態のディスプレイ２８が、本開示の表示部の一例である。なお、本実施形態のディスプレイ２８は、タッチパネル３８と共に、タッチパネルディスプレイ２９として構成されている。ディスプレイ２８は、撮像モードにおけるライブビュー画像の表示に用いられる。ライブビュー画像は、スルー画像とも称され、撮像装置１０の撮像素子２２により被写体が連続フレームで撮像されて得られた連続フレーム画像である。ディスプレイ２８は、静止画撮像の指示が与えられた場合に単一フレームで撮像されて得られた静止画像の表示にも用いられる。更に、ディスプレイ２８は、再生モードにおける再生画像の表示及びメニュー画面等の表示にも用いられる。
【００３３】
ディスプレイ２８の表示領域の表面には、透過型のタッチパネル３８が重ねられている。タッチパネル３８は、例えば、指またはスタイラスペン等の指示体による接触を検知する。タッチパネル３８は、タッチパネル３８に対する指示体による接触の有無等の検知結果を示す検知結果情報を予め定められた周期（例えば１００ミリ秒）で既定の出力先（例えば、後述のＣＰＵ（Central Processing Unit）７４、図３参照）に出力する。検知結果情報は、タッチパネル３８が指示体による接触を検知した場合、タッチパネル３８上の指示体による接触位置を特定可能な二次元座標（以下、「座標」という）を含み、タッチパネル３８が指示体による接触を検知していない場合、座標を含まない。
【００３４】
十字キー３０は、１つまたは複数のメニューの選択、及びズームやコマ送り等の各種の指示に応じた指示内容信号を出力するマルチファンクションのキーとして機能する。ＭＥＮＵ／ＯＫキー３２は、ディスプレイ２８の画面上に１つまたは複数のメニューを表示させる指示を行うためのメニュー（ＭＥＮＵ）ボタンとしての機能と、選択内容の確定及び実行等を指示する許可（ＯＫ）ボタンとしての機能とを兼備した操作キーである。ＢＡＣＫ／ＤＩＳＰボタン３４は、選択項目等、所望の対象の消去や指定内容の取消し、あるいは１つ前の操作状態に戻す場合等に使用される。
【００３５】
図３は、本実施形態の撮像装置１０のハードウェア構成の一例を示すブロック図である。
【００３６】
図３に示すように本実施形態の撮像装置本体１２はマウント１３を備えており（図１も参照）、撮像レンズ１４は、マウント１５を備えている。撮像レンズ１４は、マウント１３にマウント１５が結合されることにより撮像装置本体１２に交換可能に装着される。
【００３７】
撮像レンズ１４は、上述したレンズユニット１８、絞り１９、及び制御装置４０を含む。制御装置４０は、マウント１３にマウント１５が接続されることで、撮像装置本体１２の外部Ｉ／Ｆ（Interface）７２を介してＣＰＵ７４と電気的に接続され、ＣＰＵ７４の指示に従って、撮像レンズ１４の全体を制御する。
【００３８】
絞り１９は、レンズユニット１８よりも撮像装置本体１２側に設けられている。絞り１９には、図示を省略した絞り駆動部及び絞り駆動用モータが接続されている。絞り駆動部が、後述する受付デバイス６２によって受け付けられた指示に応じて、制御装置４０の制御下で、絞り駆動用モータを作動させることで、絞り１９の開口の大きさを調節することにより、レンズユニット１８を透過した被写体光の光量を調節し、被写体光を撮像装置本体１２内に導く。
【００３９】
図３に示すように本実施形態の撮像装置本体１２は、撮像素子２２、第１ミラー４２、第２ミラー４４、制御部４６、ミラー駆動部４８、撮像素子ドライバ５０、画像信号処理回路５２、画像メモリ５４、画像処理部５６、表示制御部５８、ＮＤ（Neutral Density）フィルタ８０、及びＮＤフィルタ駆動部８２を含む。また、撮像装置本体１２は、タッチパネルディスプレイ２９、受付Ｉ／Ｆ６０、受付デバイス６２、メディアＩ／Ｆ６４、及び外部Ｉ／Ｆ７２を含む。
【００４０】
制御部４６は、本開示の技術のコンピュータの一例であり、ＣＰＵ７４、一次記憶部７６、及び二次記憶部７８を備えている。ＣＰＵ７４は、撮像装置１０の全体を制御する。一次記憶部７６は、各種プログラムの実行におけるワークエリア等として用いられる揮発性のメモリである。一次記憶部７６の一例としては、ＲＡＭ（Random Access Memory）等が挙げられる。本実施形態の二次記憶部７８は、詳細を後述する表示制御処理プログラム７９を含む各種プログラム、及び各種パラメータ等を予め記憶した不揮発性のメモリである。二次記憶部７８の一例としては、ＥＥＰＲＯＭ（Electrically Erasable Programmable Read-Only Memory）またはフラッシュメモリ等が挙げられる。
【００４１】
ＣＰＵ７４、一次記憶部７６、及び二次記憶部７８は、バスライン８１に接続されている。また、ミラー駆動部４８、撮像素子ドライバ５０、画像信号処理回路５２、及びＮＤフィルタ駆動部８２も、バスライン８１に接続されている。また、画像メモリ５４、画像処理部５６、表示制御部５８、受付Ｉ／Ｆ６０、メディアＩ／Ｆ６４、及び外部Ｉ／Ｆ７２も、バスライン８１に接続されている。
【００４２】
第１ミラー４２は、撮像素子２２の受光面２２Ａとレンズユニット１８との間に介在しており、受光面被覆位置αと受光面開放位置βとに移動可能な可動ミラーである。
【００４３】
第１ミラー４２は、ミラー駆動部４８に接続されており、ミラー駆動部４８は、ＣＰＵ４２の制御下で、第１ミラー４２を駆動させ、第１ミラー４２を受光面被覆位置αと受光面開放位置βとに選択的に配置する。すなわち、第１ミラー４２は、受光面２２Ａに対して被写体光を受光させない場合にミラー駆動部４８によって受光面被覆位置αに配置され、受光面２２Ａに対して被写体光を受光させる場合にミラー駆動部４８によって受光面開放位置βに配置される。
【００４４】
受光面被覆位置αでは、第１ミラー４２が受光面２２Ａを覆い、かつ、レンズユニット１８から送り込まれた被写体光を反射して第２ミラー４４に導く。第２ミラー４４は、第１ミラー４２から導かれた被写体光を反射することで光学系（図示省略）を介して、ファインダ３６に導く。ファインダ３６は、第２ミラー４４によって導かれた被写体光を透過させる。
【００４５】
一方、受光面開放位置βでは、第１ミラー４２によって受光面２２Ａが覆われた状態が解除され、被写体光が第１ミラー４２で反射されることなく、受光面２２Ａによって受光される。
【００４６】
本実施形態のＮＤフィルタ８０は、段階的な透過率を複数有するＮＤフィルタである。なお、ＮＤフィルタ８０が有する透過率は本実施形態に限定されず、例えば、ＮＤフィルタ８０は、連続的な透過率を複数有していてもよい。本実施形態のＮＤフィルタ８０は、受光面被覆位置αにおける第１ミラー４２と撮像素子２２との間の、光軸Ｌ１上に配置されている。ＮＤフィルタ８０は、ＮＤフィルタ駆動部８２に接続されている。ＣＰＵ７４は、ＮＤフィルタ駆動部８２によりＮＤフィルタ８０に印加する電圧を変化させることにより、予め定められた分解能に応じて、ＮＤフィルタ８０の透過率を制御する。ＣＰＵ７４は、このようにＮＤフィルタ８０の透過率を制御することで、レンズユニット１８から絞り１９を介して撮像素子２２へ結像する被写体像の露出を制御する。なお、透過率の制御方法は、領域毎に透過率が可変な物理フィルタを使用する制御方法に限定されず、撮像素子２２の各領域に対応する画素毎に露光量または受光量を個別に制御する制御方法であってもよい。
【００４７】
なお、本実施形態の撮像装置１０では、ディスプレイ２８に表示されたメニューから十字キー３０等を用いて、ユーザにより指示された場合に、ＣＰＵ７４が、詳細を後述する表示制御処理を実行する形態としているが、ユーザが表示制御処理の実行の指示方法は特に限定されない。例えば、ユーザが表示制御処理を指示するための専用のボタン等を撮像装置本体１２に設け、専用のボタンにより表示制御処理の実行を指示する形態としてもよい。
【００４８】
撮像素子ドライバ５０は、撮像素子２２に接続されており、ＣＰＵ７４の制御下で、撮像素子２２に駆動パルスを供給する。撮像素子２２の各画素は、撮像素子ドライバ５０によって供給された駆動パルスに従って駆動する。なお、本実施形態では、撮像素子２２として、ＣＣＤ（Charge Coupled Device）イメージセンサを用いているが、本開示の技術はこれに限定されるものではなく、例えば、ＣＭＯＳ（Complementary Metal-Oxide-Semiconductor）イメージセンサ等の他のイメージセンサを用いてもよい。
【００４９】
画像信号処理回路５２は、ＣＰＵ７４の制御下で、撮像素子２２から１フレーム分の画像信号を画素毎に読み出す。画像信号処理回路５２は、読み出した画像信号に対して、相関二重サンプリング処理、自動利得調整、及びＡ／Ｄ（Analog／Digital）変換等の各種処理を行う。画像信号処理回路５２は、画像信号に対して各種処理を行うことでデジタル化した画像信号を、ＣＰＵ７４から供給されるクロック信号で規定される特定のフレームレート（例えば、数十フレーム／秒）で１フレーム毎に画像メモリ５４に出力する。
【００５０】
本実施形態の撮像素子２２、及び撮像素子ドライバ５０が本開示の撮像部の一例である。
【００５１】
画像メモリ５４は、画像信号処理回路５２から入力された画像信号を一時的に保持する。
【００５２】
画像処理部５６は、画像メモリ５４から特定のフレームレートで１フレーム毎に画像信号を取得し、取得した画像信号に対して、ガンマ補正、輝度変換、色差変換、及び圧縮処理等の各種処理を行う。また、画像処理部５６は、各種処理を行って得た画像信号を特定のフレームレートで１フレーム毎に表示制御部５８に出力する。更に、画像処理部５６は、各種処理を行って得た画像信号を、ＣＰＵ７４の要求に応じて、ＣＰＵ７４に出力する。
【００５３】
表示制御部５８は、タッチパネルディスプレイ２９のディスプレイ２８に接続されており、ＣＰＵ７４の制御下で、ディスプレイ２８を制御する。また、表示制御部５８は、画像処理部５６から入力された画像信号を１フレーム毎に特定のフレームレートでディスプレイ２８に出力する。
【００５４】
ディスプレイ２８は、表示制御部５８から特定のフレームレートで入力された画像信号により示される画像をライブビュー画像として表示する。また、ディスプレイ２８は、単一フレームで撮像されて得られた単一フレーム画像である静止画像も表示する。なお、ディスプレイ２８には、ライブビュー画像の他に、再生画像及びメニュー画面等が表示される。
【００５５】
受付デバイス６２は、ダイヤル２４、レリーズボタン２６、十字キー３０、ＭＥＮＵ／ＯＫキー３２、及びＢＡＣＫ／ＤＩＳＰボタン３４等を有しており、ユーザによる各種指示を受け付ける。
【００５６】
タッチパネルディスプレイ２９のタッチパネル３８及び受付デバイス６２は、受付Ｉ／Ｆ６０に接続されており、受け付けた指示の内容を示す指示内容信号を受付Ｉ／Ｆ６０に出力する。受付Ｉ／Ｆ６０は、入力された指示内容信号をＣＰＵ７４に出力する。ＣＰＵ７４は、受付Ｉ／Ｆ６０から入力された指示内容信号に応じた処理を実行する。
【００５７】
メディアＩ／Ｆ６４には、メモリカード６６が着脱可能に接続されている。メディアＩ／Ｆ６４は、ＣＰＵ７４の制御下で、メモリカード６６に対する画像ファイルの記録及び読み出しを行う。
【００５８】
メディアＩ／Ｆ６４によってメモリカード６６から読み出された画像ファイルは、ＣＰＵ７４の制御下で、画像処理部５６によって伸長処理が施されてディスプレイ２８に再生画像として表示される。
【００５９】
撮像装置１０では、受付デバイス６２で受け付けられた指示に応じて、動作モードが切り替えられる。例えば、撮像装置１０では、撮像モード下において、受付デバイス６２で受け付けられた指示に応じて、静止画撮像モードと動画撮像モードとが選択的に設定される。静止画撮像モード下では、静止画像ファイルがメモリカード６６に記録可能になり、動画撮像モード下では、動画像ファイルがメモリカード６６に記録可能になる。
【００６０】
ＣＰＵ７４は、静止画撮像モード下でレリーズボタン２６によって静止画像の撮像の指示が受け付けられた場合、撮像素子ドライバ５０を制御することで、撮像素子２２に１フレーム分の本露光を行わせる。画像処理部５６は、ＣＰＵ７４の制御下で、１フレーム分の露光が行われることによって得られた画像信号を取得し、取得した画像信号に対して圧縮処理を施して特定の静止画像用フォーマットの静止画像ファイルを生成する。なお、ここで、特定の静止画像用フォーマットとは、例えば、ＪＰＥＧ（Joint Photographic Experts Group）形式のフォーマットを指す。静止画像ファイルは、ＣＰＵ７４の制御下で、画像処理部５６によって、メディアＩ／Ｆ６４を介してメモリカード６６に記録される。
【００６１】
画像処理部５６は、動画撮像モード下でレリーズボタン２６によって動画像の撮像の指示が受け付けられた場合、ライブビュー画像用の画像信号に対して圧縮処理を施して特定の動画像用フォーマットの動画像ファイルを生成する。なお、ここで、特定の動画像用フォーマットとは、例えば、ＭＰＥＧ（Moving Picture Experts Group）形式のフォーマットを指す。動画像ファイルは、ＣＰＵ７４の制御下で、画像処理部５６によって、メディアＩ／Ｆ６４を介してメモリカード６６に記録される。
【００６２】
次に、本実施形態の撮像装置１０の作用として、本実施形態の表示制御処理を実行する場合の撮像装置１０の作用について説明する。
【００６３】
本実施形態の撮像装置１０では、撮像モードにおいて、上述したように、タッチパネルディスプレイ２９にライブビュー画像が表示される。そして、本実施形態の撮像装置１０では、タッチパネルディスプレイ２９に表示されたライブビュー画像について、ＮＤフィルタ８０の効果（透過率）を異ならせた複数の状態を見比べるために、ライブビュー画像の表示の制御を行う表示制御処理が実行される。
【００６４】
具体的には、撮影モードにおいて、表示制御処理の実行をユーザから指示されると、本実施形態の撮像装置１０のＣＰＵ７４は、二次記憶部７８から表示制御処理プログラム７９を読み出して一次記憶部７６に展開して実行することにより、図４に一例を示した、表示制御処理を実行する。ＣＰＵ７４は、表示制御処理プログラム７９を実行することにより、本開示の制御部として機能する。
【００６５】
なお、以下では、説明の便宜上、タッチパネルディスプレイ２９に表示された、図５に一例として示したライブビュー画像１００に対して表示制御処理を実行する場合について説明する。図５に示したライブビュー画像１００は、被写体の一例として、「海」及び「空」を撮像して得られたライブビュー画像１００であり、海を主として含む海の画像１０２と、空を主として含む空の画像１０４とが含まれている。
【００６６】
まず、図４のステップＳ１０でＣＰＵ７４は、ライブビュー画像１００において、露出の度合いの制御（以下、単に「露出の制御」という）を行う範囲（ＮＤフィルタ８０を適用する範囲）が、ライブビュー画像１００の全体であるか否かを判定する。
【００６７】
露出の制御範囲がライブビュー画像１００の全体である場合、ステップＳ１００の判定が肯定判定となり、ステップＳ１０４へ移行する。一方、露出の制御範囲がライブビュー画像１００の全体ではない場合、ステップＳ１００の判定が否定判定となり、ステップＳ１０２へ移行する。
【００６８】
ステップＳ１０２でＣＰＵ７４は、ライブビュー画像１００において、露出の制御を行う範囲を決定するために、図６に一例を示した露出制御範囲決定処理を実行する。
【００６９】
図６のステップＳ２００でＣＰＵ７４は、ライブビュー画像１００を輝度値に基づいて複数の撮像領域に分割するための境界線を決定する。なお、ＣＰＵ７４が、ライブビュー画像１００における境界線を決定する方法は特に限定されない。例えば、ＣＰＵ７４は、ライブビュー画像１００を画像解析することにより得られたヒストグラム（輝度分布）に基づいて、境界線を決定してもよい。一例として、図７に、ライブビュー画像１００のヒストグラム２００を示す。図７に示したヒストグラム２００は、横軸を輝度値（明るさ）とし、縦軸を画素数（頻度）としたライブビュー画像１００の輝度分布を示している。なお、以下では、「輝度値」を単に「輝度」という場合がある。
【００７０】
ＣＰＵ７４は、ヒストグラム２００から、輝度値のピーク（山）２０２と、ピーク２０４との間の谷となる範囲２０６を検出し、検出した範囲２０６の中から予め定められた基準に基づいて特定の１つの輝度値２０８を決定する。この場合の予め定められた基準としては、例えば、範囲２０６の中間値であることや、最低画素数となる輝度値であること等が挙げられる。そして、ＣＰＵ７４は、決定した輝度値２０８に対応する画素の位置に基づいて、例えば、ライブビュー画像１００において、輝度値が輝度値２０８である、画素を最も多く含む直線を境界線として決定すればよい。
【００７１】
一例として、図８には、ライブビュー画像１００において決定された境界線１２０を示す。図８では、海の画像１０２と空の画像１０４との境界が境界線１２０として決定された状態を示している。
【００７２】
なお、図７に示したヒストグラム２００が、輝度値の山となる部分が２つ（山２０２及び山２０４）である場合を示したが、輝度値の山となる部分が３つ以上、すなわち、谷となる範囲２０６が２つ以上である場合であっても、ヒストグラムから境界線１２０を決定することができる。この場合、例えば、複数の谷となる範囲２０６の各々から決定された輝度値のうちから、最小値等、予め定められた基準を満たす輝度値を決定し、決定した輝度値に基づいて境界線１２０を決定すればよい。
【００７３】
また、境界線１２０の他の決定方法としては、ライブビュー画像１００の端部から順に輝度または濃度に基づいてコントラストを抽出し、コントラストが急に変化する位置に基づいて、境界線１２０を決定してもよい。
【００７４】
次のステップＳ２０２でＣＰＵ７４は、決定した境界線１２０に基づいて、ライブビュー画像１００を複数の撮像領域に分割する。本実施形態では、図９に示すように、境界線１２０により、ライブビュー画像１００が、海の画像１０２を含む撮像領域１１２と、空の画像１０４を含む撮像領域１１４とに分割される。
【００７５】
次のステップＳ２０４でＣＰＵ７４は、複数の撮像領域（本実施形態では、撮像領域１１２及び撮像領域１１４）各々の輝度値に基づき、露出制御範囲とする撮像領域を決定した後、本露出制御範囲決定処理を終了して、露出制御処理（図４参照）のステップＳ１０４へ移行する。
【００７６】
なお、ＣＰＵ７４が、露出制御範囲とする撮像領域を決定する方法は特に限定されない。例えば、各撮像領域の輝度値の平均値を導出し、平均値が最も高い撮像領域を、露出制御範囲として決定してもよい。この場合、いわゆる白飛びを防ぐ効果が高くなる。また、例えば、各撮像領域の輝度値の平均値を導出し、平均値が最も低い撮像領域を、露出制御範囲として決定してもよい。この場合、いわゆる黒つぶれを防ぐ効果が高くなる。
【００７７】
なお、ＣＰＵ７４が、露出を制御する範囲を決定する方法は本実施形態に限定されない。例えば、ユーザの指示に応じて露出を制御する範囲を決定してもよい。この場合の例としては、タッチパネルディスプレイ２９に表示されたライブビュー画像１００に対して、ユーザが指示体により囲った領域の輝度値に基づいて、ユーザが囲った領域を含む領域を露出を制御する範囲として決定する方法が挙げられる。
【００７８】
ステップＳ１０４でＣＰＵ７４は、露出制御範囲として決定した撮像領域を分割する方向（分割方向）を決定する。なお、本実施形態では、露出制御範囲として決定した撮像領域全体が、本開示の分割対象領域の一例であるため、以下では、「分割対象領域」という。
【００７９】
本実施形態では、分割対象領域を複数の領域に分割し、分割された領域（以下、「分割領域」という）毎にＮＤフィルタ８０の効果（透過率）を異ならせた画像として、タッチパネルディスプレイ２９に表示させる。本ステップでは、分割対象領域を複数の分割領域に分割する方向、換言すると、ＮＤフィルタ８０の効果（透過率）が異なる画像を並べる方向を決定する。
【００８０】
本実施形態では、一例として分割対象領域に含まれる被写体の画像に応じて、分割方向を決定する。一般に、被写体の画像に対してＮＤフィルタ８０を適用することが想定される。そのため、本実施形態では、複数の分割領域のうち、予め定められた数以上の分割領域、例えば、過半数以上、より好ましくは全ての分割領域に、被写体の画像の一部が含まれる状態として、ＣＰＵ７４が分割対象領域を分割する。換言すると、ＣＰＵ７４は、被写体の形状に応じて分割対象領域を分割する。すなわち、分割対象領域を分割する方向は、分割対象領域の形状に応じた方向である。より具体的な例として、分割対象領域を分割対象領域の長手方向に対して分割する。なお、ここで被写体の画像をＣＰＵ７４が検出する方法は特に限定されない。例えば、被写体としての予め定められた基準を満たす画像を被写体の画像として検出してもよい。この場合の予め定められた基準としては、複数の人物の画像が検出された場合は、最も手前側（撮像装置１０に近い側）に位置する人物の画像としてもよいし、ライブビュー画像１００のように、風景を撮像した場合等は、空や海等の画像を被写体の画像として検出してもよい。また、ユーザが指示した画像を被写体の画像として検出してもよい。
【００８１】
このように、複数の分割領域のうち、予め定められた数以上の分割領域に、被写体の画像の一部が含まれる状態とすることにより、被写体の画像に対するＮＤフィルタ８０の効果を見比べることができる。
【００８２】
次のステップＳ１０６でＣＰＵ７４は、ダイナミックレンジを制御した撮像を行うか否かを判定する。ダイナミックレンジを制御した撮像を行うか否かの判定方法は特に限定されないが、一例として本実施形態では、受付デバイス６２等により、ユーザからダイナミックレンジを制御した撮影を行う旨が予め指示されている場合に、ＣＰＵ７４は、ダイナミックレンジを制御した撮像を行うと判定する。
【００８３】
ダイナミックレンジを制御した撮影を行う旨の指示がなされていない場合、ステップＳ１０６の判定が否定判定となり、ステップＳ１０８へ移行する。
【００８４】
ステップＳ１０８でＣＰＵ７４は、分割対象領域を複数の分割領域に分割する数（分割領域の数）を決定する。本実施形態のＮＤフィルタ８０は、上述したように、段階的な透過率を有するため、透過率の段階数を分割領域の数として決定する。
【００８５】
次のステップＳ１１０でＣＰＵ７４は、上記ステップＳ１０４で決定した分割方向に、上記ステップＳ１０８で決定した数に分割対象領域を分割した複数の分割領域の各々について、ＮＤフィルタ８０の透過率を決定した後、ステップＳ１１６へ移行する。本実施形態では、分割領域の並び方向に透過率を、段階的に（予め定められた割合で）異ならせるため、ＣＰＵ７４は、分割領域の並び位置に応じて、各分割領域に対するＮＤフィルタ８０の透過率を低下または上昇させる。
【００８６】
一方、ダイナミックレンジを制御した撮影を行う旨の指示が成されている場合、ステップＳ１０６の判定が肯定判定となり、ステップＳ１１２へ移行する。
【００８７】
ステップＳ１１２でＣＰＵ７４は、分割対象領域を複数の分割領域に分割する数（分割領域の数）を決定する。本実施形態では、ダイナミックレンジを制御した撮影を行う場合、分割領域の数は、上記ステップＳ１０８において決定される分割領域の数と異なる。本実施形態の撮像装置１０では、ダイナミックレンジの制御の効果についても見比べを可能としている。そのため、本実施形態の撮像装置１０は、ダイナミックレンジの制御に応じて異なる画像を表示させる制御を行う。
【００８８】
そのため、ＣＰＵ７４は、ＮＤフィルタ８０の透過率の段階数にダイナミックレンジの段階数を乗じた数を分割領域の数として決定する。例えば、ＣＰＵ７４が、ダイナミックレンジが１００％の画像と、ダイナミックレンジが２００％の画像とを表示させる制御を行う場合、透過率の段階数に２を乗じた数を分割領域の数として決定する。
【００８９】
次のステップＳ１１４でＣＰＵ７４は、上記ステップＳ１０４で決定した分割方向に、上記ステップＳ１１２で決定した数に分割対象領域を分割した複数の分割領域の各々について、ＮＤフィルタ８０の透過率を決定した後、ステップＳ１１６へ移行する。なお、本実施形態では、ＣＰＵ７４は、ダイナミックレンジの制御を、ＮＤフィルタ８０の透過率を制御することにより行う。例えば、通常の露出（透過率）におけるダイナミックレンジを１００％とした場合、ダイナミックレンジが２００％の場合は、露出が１／２になり、ダイナミックレンジが４００％の場合は、露出が１／４になる。
【００９０】
そのため、本ステップでは、上記ステップＳ１１０と異なり、ダイナミックレンジに応じた露出の制御を加味して、各分割領域に対するＮＤフィルタ８０の透過率を決定する。
【００９１】
次のステップＳ１１６でＣＰＵ７４は、上記ステップＳ１１０またはステップＳ１１４で決定した透過率に応じてＮＤフィルタ８０を駆動させることにより、露出を制御する指示をＮＤフィルタ駆動部８２に出力する。
【００９２】
このようにして上記各処理が実行されることにより、タッチパネルディスプレイ２９に表示されるライブビュー画像１００が、ＣＰＵ７４によりＮＤフィルタ８０の度合いが制御されて得られた画像となる。図１０〜図１２には、ＮＤフィルタ８０の効果（透過率）を異ならせた複数の状態を見比べられる状態のライブビュー画像１００の表示例を示す。
【００９３】
図１０は、ダイナミックレンジの制御は行わず、ライブビュー画像１００の全域を分割対象領域とし、ＮＤフィルタ８０が４段階の透過率を有しており、一様に、同一の透過率のＮＤフィルタ８０を適用する場合のライブビュー画像１００の表示例を示している。
【００９４】
図１０に示した例では、分割領域１３０では、光量が１（ＮＤフィルタ８０の透過率が１００％）となっており、分割領域１３２は、光量が１／２（ＮＤフィルタ８０の透過率が５０％）となっている。また、分割領域１３４では、光量が１／４（ＮＤフィルタ８０の透過率が２５％）となっており、分割領域１３６では、光量が１／８（ＮＤフィルタ８０の透過率が１２．５％）となっている。
【００９５】
また図１１は、ダイナミックレンジの制御は行わず、ライブビュー画像１００における撮像領域１１４を分割対象領域とし、ＮＤフィルタ８０が４段階の透過率を有しており、一様に、同一の透過率のＮＤフィルタ８０を適用する場合のライブビュー画像１００の表示例を示している。
【００９６】
図１１に示した例では、図１０に示した場合と同様に、分割領域１３０では、光量が１（ＮＤフィルタ８０の透過率が１００％）となっており、分割領域１３２は、光量が１／２（ＮＤフィルタ８０の透過率が５０％）となっている。また、分割領域１３４では、光量が１／４（ＮＤフィルタ８０の透過率が２５％）となっており、分割領域１３６では、光量が１／８（ＮＤフィルタ８０の透過率が１２．５％）となっている。
【００９７】
また、図１２は、ダイナミックレンジの制御を行う場合であり、ライブビュー画像１００の全域を分割対象領域とし、ＮＤフィルタ８０が４段階の透過率を有しており、一様に、同一の透過率のＮＤフィルタ８０を適用する場合のライブビュー画像１００の表示例を示している。
【００９８】
図１２に示した例では、分割領域１４０及び分割領域１４１では、光量が１（ＮＤフィルタ８０の透過率が１００％）となっており、分割領域１４２及び分割領域１４３では、光量が１／２（ＮＤフィルタ８０の透過率が５０％）となっている。また、分割領域１４４及び分割領域１４５では、光量が１／４（ＮＤフィルタ８０の透過率が２５％）となっており、分割領域１４６及び分割領域１４７では、光量が１／８（ＮＤフィルタ８０の透過率が１２．５％）となっている。さらに、分割領域１４０、１４２、１４４、及び１４６では、ダイナミックレンジ（ＤＲ）が１００％に制御されており、分割領域１４１、１４３、１４５、及び１４７では、ダイナミックレンジ（ＤＲ）が２００％に制御されている。
【００９９】
次のステップＳ１１８でＣＰＵ７４は、本表示制御処理を終了するか否か判定する。終了しない場合は、ステップＳ１１８の判定が否定判定となり、待機状態となる。一方、終了する場合、ステップＳ１１８の判定が肯定判定となり、本表示制御処理を終了する。
【０１００】
この後、ユーザは、受付デバイス６２やタッチパネルディスプレイ２９等により、ＮＤフィルタ８０の段階（透過率）や、ダイナミックレンジの段階の指示を行う。さらに、ユーザが、レリーズボタン２６によって撮像の指示を行うと、ＣＰＵ７４によって露出が制御された状態で撮像素子２２により撮像されて得られた画像がメモリカード６６に記録される。
【０１０１】
以上説明したように、本実施形態の撮像装置１０は、レンズユニット１８を通して被写体を撮像素子２２により撮像して得られた画像信号を出力する撮像素子ドライバ５０と、画像信号に応じたライブビュー画像１００を表示するタッチパネルディスプレイ２９と、ライブビュー画像１００における被写体の画像が含まれる分割対象領域を分割した複数の分割領域毎に、分割領域の画像を露出の度合いが異なる画像としてタッチパネルディスプレイ２９に表示させる制御を行うＣＰＵ７４と、を備える。
【０１０２】
従って、本実施形態の撮像装置１０によれば、上記のようにＣＰＵ７４が、被写体の画像が含まれる分割対象領域を分割した複数の分割領域毎に、露出の度合いが異なる画像としてライブビュー画像１００をタッチパネルディスプレイ２９に表示させるため、ＮＤフィルタの効果を見比べながら撮像することができる。
【０１０３】
なお、本実施形態では、ダイナミックレンジの制御を、ＮＤフィルタ８０の透過率を制御することにより行っていたが、ダイナミックレンジの制御方法はこれに限定されない。例えば、絞り１９の値と、シャッター速度との組合せにより、露出量を制御することでダイナミックレンジを制御してもよい。
【０１０４】
また、本実施形態では、ライブビュー画像１００の異なる分割領域において、ダイナミックレンジの制御度合いが異なる画像を表示させる場合、換言すると、タッチパネルディスプレイ２９の同一画面上にダイナミックレンジの制御度合いが異なる画像を表示させる場合について説明したが、ダイナミックレンジの制御が異なる画像をタッチパネルディスプレイ２９に表示させる方法はこれに限定されない。例えば、ダイナミックレンジが１００％のライブビュー画像１００と、ダイナミックレンジが２００％のライブビュー画像１００とを、トグル等により切り替えることにより、タッチパネルディスプレイ２９に表示させる画像を切り替えてもよい。
【０１０５】
また、分割対象領域に含まれる被写体の画像に応じて、分割領域の数や分割方向を決定する方法は、上述した方法に限定されない。
【０１０６】
例えば、以下に説明する方法により、分割領域の数や分割方向を決定してもよい。
一般に、一例として図１３に示したように、ＡＦの基準とするターゲット２０９、例えばライブビュー画像１００における中央部付近に、被写体の画像が位置していることが想定される。そこで、ＣＰＵ７４は、ターゲット２０９を基準とし、ターゲット２０９の近傍で予め定められた基準に基づいて、ダーゲット２００の画素と類似する画素を検出する。予め定められた基準としては、例えば、ターゲット２０９の画素の輝度と、輝度の差が予め定められた範囲内である画素であることが挙げられる。この場合、ＣＰＵ７４は、ターゲット２０９の画素の輝度と、輝度の差が予め定められた範囲内である画素により形成される領域を被写体の画像とみなし、被写体の画像とみなした画素を含む領域を分割対象領域２１０とする。ＣＰＵ７４は、この分割対象領域２１０（被写体の画像）の大きさ等に応じて、図１４に示した一例のように、１対象領域２１０を複数の分割領域（分割領域２１２、２１４、及び２１６）に分割すればよい。すなわち、分割領域の数は、被写体の画像の大きさに応じた数となる。より具体的な例として、被写体の画像の大きさが大きいほど分割領域の数が増える。図１４に示した例では、分割領域２１２に対するＮＤフィルタ８０の透過率が最も高く、分割領域２１６に対するＮＤフィルタ８０の透過率が最も低く、分割領域２１４に対するＮＤフィルタ８０の透過率がその中間値である場合を示している。
【０１０７】
なお、図１４に示した一例のように、ライブビュー画像１００の一部の領域が分割対象領域である場合、ライブビュー画像１００における分割対象領域外の領域や、全体の領域についてもＮＤフィルタ８０による露出の制御を行ってもよい。この場合の一例として、図１５には、ＮＤフィルタ８０によりライブビュー画像１００全体の光量を１／２に制御した場合のライブビュー画像１００の表示例を示す。
【０１０８】
また、図１６に示した一例のように、分割対象領域２１０を明示するためのマーキング等を行ってもよい。図１６では、分割対象領域２１０の周囲を枠線２１９でマーキングした状態の一例を示している。
【０１０９】
また、ライブビュー画像１００を輝度値に基づいて複数の撮像領域に分割する方法は、上記で説明した形態に限定されない。例えば、上述したように、ＣＰＵ７４が決定した境界線１２０の輝度を閾値として、ライブビュー画像１００を二値化等することにより、複数の撮像領域に分割してもよい。図１７には、二値化された状態のライブビュー画像１００の一例を示す。図１７に示すように、この場合、画素１５０や画素１５２のように、周囲と輝度が異なる画素が生じてしまう。そのため、ＣＰＵ７４は、膨張縮小処理等を行うことにより、各輝度毎の領域の形状を整える。図１８に膨張縮小処理後のライブビュー画像の一例を示す。
【０１１０】
ここで、例えば、図１９に示したように、ＮＤフィルタ８０がＮＤフィルタ処理を行う単位１６０となる解像度が、ライブビュー画像１００の解像度よりも低い場合、図１９に示すように、１つの単位１６０の中に、撮像領域の境界線１２０が含まれる場合がある。なお、ここでいうＮＤフィルタ処理を行う単位１６０となる解像度が本開示の第１の解像度の一例であり、ライブビュー画像１００の解像度が、本開示の第２の解像度の一例である。
【０１１１】
このような場合、ライブビュー画像１００の解像度に基づいて、ライブビュー画像１００を撮像領域に分割した、分割された撮像領域に基づいてライブビュー画像１００をＮＤフィルタ処理を行う単位１６０となる解像度に変換することが好ましい。このようにライブビュー画像１００を分割することにより、図２０に示した一例のように、ライブビュー画像１００を撮像領域１６２、撮像領域１６３、及び撮像領域１６４の３つに分割することができる。換言すると、ライブビュー画像１００が多値画像となるため、撮像領域１６２、１６３、及び１６４の各々について、各々の濃度（輝度）に応じた透過率のＮＤフィルタ８０を適用することが可能となる。
【０１１２】
このようにライブビュー画像１００を複数の撮像領域に分割する場合、単に境界線１２０の輝度に応じて２つの撮像領域（上記、図９の撮像領域１１２、１１４参照）に分割する場合に比べて、多段階にＮＤフィルタ８０の透過率を異ならせることができる。これにより、境界線１２０付近で明るさがずれることによる擬似境界の発生を抑制することができる。これにより、本実施形態の撮像装置１０Ａによれば、高画質な撮像画像を得ることができる。
【０１１３】
なお、上記各実施形態では、ＮＤフィルタ８０及びＮＤフィルタ駆動部８２を用いてＣＰＵ７４がＮＤフィルタ８０の度合い（透過率）の制御を行うことにより、露出の制御を行う形態について説明したが、ＮＤフィルタ処理により露出の制御を行う形態はこれに限定されない。例えば、ＣＰＵ７４が画像信号処理回路５２を制御することにより、撮像素子２２から出力される画像信号のゲインを制御することでＮＤフィルタ処理を行うことにより、露出の制御を行う態様としてもよい。また、例えば、ＣＰＵ７４がシャッタースピードを制御することでＮＤフィルタ処理を行うことにより、露出の制御を行う態様としてもよい。
【０１１４】
また、上記各実施形態では、表示制御処理プログラムを二次記憶部７８から読み出す場合を例示したが、必ずしも最初から表示制御処理プログラムを二次記憶部７８に記憶させておく必要はない。例えば、図２１に示すように、ＳＳＤ（Solid State Drave）、ＵＳＢ（Universal Serial Bus）メモリ、またはＣＤ−ＲＯＭ（Compact Disc Read Only Memory）等の任意の可搬型の記憶媒体２００に表示制御処理プログラム７９を記憶させておいてもよい。この場合、記憶媒体２００の表示制御処理プログラム７９が撮像装置本体１２にインストールされ、インストールされた表示制御処理プログラム７９がＣＰＵ７４によって実行される。
【０１１５】
また、通信網（図示省略）を介して撮像装置本体１２に接続される他のコンピュータまたはサーバ装置等の記憶部に表示制御処理プログラム７９を記憶させておき、表示制御処理プログラム７９が撮像装置本体１２の要求に応じてダウンロードされるようにしてもよい。この場合、ダウンロードされた表示制御処理プログラム７９はＣＰＵ７４によって実行される。
【０１１６】
また、上記各実施形態で説明したＮＤフィルタ処理はあくまでも一例である。従って、主旨を逸脱しない範囲内において不要なステップを削除したり、新たなステップを追加したり、処理順序を入れ替えたりしてもよいことは言うまでもない。
【０１１７】
また、上記各実施形態では、コンピュータを利用したソフトウェア構成によりＮＤフィルタ処理が実現される場合を例示したが、本開示の技術はこれに限定されるものではない。例えば、コンピュータを利用したソフトウェア構成に代えて、ＦＰＧＡ（Field-Programmable Gate Array）またはＡＳＩＣ（Application Specific Integrated Circuit）等のハードウェア構成のみによって、ＮＤフィルタ処理が実行されるようにしてもよい。また、ＮＤフィルタ処理がソフトウェア構成とハードウェア構成とを組み合わせた構成によって実行されるようにしてもよい。
【０１１８】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０１１９】
１０  撮像装置
１２  撮像装置本体
１３、１５  マウント
１４  撮像レンズ
１６  フォーカスリング
１８  レンズユニット
１９  絞り
２０  フォーカスレンズ
２２  撮像素子
２２Ａ  受光面
２４  ダイヤル
２６  レリーズボタン
２８  ディスプレイ
２９  タッチパネルディスプレイ
３０  十字キー
３２  ＭＥＮＵ／ＯＫキー
３４  ＢＡＣＫ／ＤＩＳＰボタン
３６  ファインダ
３８  タッチパネル
４０  制御装置
４２  第１ミラー
４４  第２ミラー
４６、４６Ａ、４６Ｂ、４６Ｃ  制御部
４８  ミラー駆動部
５０  撮像素子ドライバ
５２  画像信号処理回路
５４  画像メモリ
５６  画像処理部
５８  表示制御部
６０  受付Ｉ／Ｆ
６２  受付デバイス
６４  メディアＩ／Ｆ
６６  メモリカード
７２  外部Ｉ／Ｆ
７４  ＣＰＵ
７６、  一次記憶部
７８  二次記憶部
７９  表示制御処理プログラム
８０  ＮＤフィルタ
８１  バスライン
８２  ＮＤフィルタ駆動部
１００  ライブビュー画像
１０２  海の画像
１０４  空の画像
１１２、１１４、１６２、１６３、１６４  撮像領域
１２０  境界線
１３０、１３２、１３４、１３６、１４０、１４１、１４２、１４３、１４４、１４５、１４６、１４７、２１２、２１４、２１６  分割領域
１５０、１５２  画素
１６０  単位
２００  ヒストグラム
２０２、２０４  山
２０６  範囲
２０８  輝度値
２０９  ターゲット
２１０  分割対象領域
２１９  枠線
１３３、１３５、１３７  境界領域
３００  記憶媒体
α  受光面被覆位置
β  受光面開放位置
Ｌ１  光軸
【図１】
2018235382.tif 000003
【図２】
2018235382.tif 000004
【図３】
2018235382.tif 000005
【図４】
2018235382.tif 000006
【図５】
2018235382.tif 000007
【図６】
2018235382.tif 000008
【図７】
2018235382.tif 000009
【図８】
2018235382.tif 000010
【図９】
2018235382.tif 000011
【図１０】
2018235382.tif 000012
【図１１】
2018235382.tif 000013
【図１２】
2018235382.tif 000014
【図１３】
2018235382.tif 000015
【図１４】
2018235382.tif 000016
【図１５】
2018235382.tif 000017
【図１６】
2018235382.tif 000018
【図１７】
2018235382.tif 000019
【図１８】
2018235382.tif 000020
【図１９】
2018235382.tif 000021
【図２０】
2018235382.tif 000022
【図２１】
2018235382.tif 000023
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
撮像光学系を通して被写体を撮像素子により撮像して得られた画像信号を出力する撮像部と、
前記画像信号に応じた撮像画像を表示する表示部と、
前記撮像画像における被写体の画像が含まれる分割対象領域を分割した複数の分割領域毎に、前記分割領域の画像を、露出の度合いが、前記複数の分割領域の並び方向に予め定められた割合で異なる画像として前記表示部に表示させる制御を行う制御部と、
を備えた撮像装置。
【請求項２】
前記複数の分割領域の数は、前記被写体の画像の大きさに応じた数である、
請求項１に記載の撮像装置。
【請求項３】
前記分割対象領域を分割する方向は、前記分割対象領域の形状に応じた方向である、
請求項１または請求項２に記載の撮像装置。
【請求項４】
撮像光学系を通して被写体を撮像素子により撮像して得られた画像信号を出力する撮像部と、
前記画像信号に応じた撮像画像を表示する表示部と、
前記撮像画像における被写体の画像が含まれる分割対象領域として、前記撮像画像の一部の領域である被写体の画像を含む被写体領域を少なくとも１つ抽出し、抽出した前記被写体領域を分割した複数の分割領域毎に、露出の度合いが異なる画像として前記表示部に表示させる制御を行う制御部と、
を備えた撮像装置。
【請求項５】
前記制御部は、前記複数の分割領域と異なる、前記撮像画像を分割して得られた複数の撮像領域のうち、露出の度合いの制御を行う前記撮像領域の画像の露出の度合いを、前記複数の分割領域のいずれか１つの分割領域に応じた画像の露出の度合いとする、
請求項１から請求項４のいずれか１項に記載の撮像装置。
【請求項６】
前記複数の分割領域の各々は、露出の度合いの制御を行う前記撮像領域の一部を含む、
請求項５に記載の撮像装置。
【請求項７】
前記制御部は、前記撮像画像の露出の度合いを、前記表示部に表示された前記複数の分割領域から選択された分割領域に対応する画像に応じた露出の度合いとする、
請求項１から請求項４のいずれか１項に記載の撮像装置。
【請求項８】
前記制御部は、前記撮像画像における、予め定められた閾値より輝度が高い領域を、露出の度合いの制御を行う前記撮像領域とする、
請求項５または請求項６に記載の撮像装置。
【請求項９】
前記制御部は、前記撮像画像の輝度と画素数との対応関係を表すヒストグラムを導出し、前記ヒストグラムにおいて予め定められた条件を満たす輝度に基づいて前記撮像画像から導出した境界線を用いて、前記撮像画像を複数の撮像領域に分割する、
請求項５から請求項８のいずれか１項に記載の撮像装置。
【請求項１０】
前記制御部は、前記ヒストグラムにおいて、輝度値のピークとピークとの谷間に応じた輝度値を、前記境界線の輝度とする、
請求項９に記載の撮像装置。
【請求項１１】
前記制御部は、露出の度合いを制御する単位となる第１の解像度が、前記撮像画像の第２の解像度よりも低い場合は、前記境界線を用いて、前記第２の解像度に応じて前記撮像画像を複数の領域に分割し、前記複数の領域に基づいて、前記撮像画像を、前記第１の解像度に応じた複数の撮像領域に分割する、
請求項９または請求項１０に記載の撮像装置。
【請求項１２】
前記制御部は、さらに、前記分割対象領域のダイナミックレンジを制御する、
請求項１から請求項１１のいずれか１項に記載の撮像装置。
【請求項１３】
撮像光学系を通して被写体を撮像素子により撮像して得られた画像信号に応じた撮像画像を表示部に表示させ、
前記撮像画像における被写体の画像が含まれる分割対象領域を分割した複数の分割領域毎に、前記分割領域の画像を、露出の度合いが、前記複数の分割領域の並び方向に予め定められた割合で異なる画像として前記表示部に表示させる制御を行う、
処理を含む撮像装置の制御方法。
【請求項１４】
撮像光学系を通して被写体を撮像素子により撮像して得られた画像信号に応じた撮像画像を表示部に表示させ、
前記撮像画像における被写体の画像が含まれる分割対象領域として、前記撮像画像の一部の領域である被写体の画像を含む被写体領域を少なくとも１つ抽出し、抽出した前記被写体領域を分割した複数の分割領域毎に、露出の度合いが異なる画像として前記表示部に表示させる制御を行う、
処理を含む撮像装置の制御方法。
【請求項１５】
コンピュータに、
撮像光学系を通して被写体を撮像素子により撮像して得られた画像信号に応じた撮像画像を表示部に表示させ、
前記撮像画像における被写体の画像が含まれる分割対象領域を分割した複数の分割領域毎に、前記分割領域の画像を、露出の度合いが、前記複数の分割領域の並び方向に予め定められた割合で異なる画像として前記表示部に表示させる制御を行う、
処理を実行させるための撮像装置の制御プログラム。
【請求項１６】
コンピュータに、
撮像光学系を通して被写体を撮像素子により撮像して得られた画像信号に応じた撮像画像を表示部に表示させ、
前記撮像画像における被写体の画像が含まれる分割対象領域として、前記撮像画像の一部の領域である被写体の画像を含む被写体領域を少なくとも１つ抽出し、抽出した前記被写体領域を分割した複数の分割領域毎に、露出の度合いが異なる画像として前記表示部に表示させる制御を行う、
処理を実行させるための撮像装置の制御プログラム。
【手続補正２】
【補正対象書類名】明細書
【補正対象項目名】０００７
【補正方法】変更
【補正の内容】
【０００７】
上記目的を達成するために、本開示の第１の態様の撮像装置は、撮像光学系を通して被写体を撮像素子により撮像して得られた画像信号を出力する撮像部と、画像信号に応じた撮像画像を表示する表示部と、撮像画像における被写体の画像が含まれる分割対象領域を分割した複数の分割領域毎に、分割領域の画像を、露出の度合いが、複数の分割領域の並び方向に予め定められた割合で異なる画像として表示部に表示させる制御を行う制御部と、を備える。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の態様の撮像装置は、第１の態様の撮像装置において、複数の分割領域の数は、被写体の画像の大きさに応じた数とされている。
【手続補正５】
【補正対象書類名】明細書
【補正対象項目名】００１０
【補正方法】変更
【補正の内容】
【００１０】
第３の態様の撮像装置は、第１の態様または第２の態様の撮像装置において、分割対象領域を分割する方向は、分割対象領域の形状に応じた方向とされている。
【手続補正６】
【補正対象書類名】明細書
【補正対象項目名】００１１
【補正方法】変更
【補正の内容】
【００１１】
第４の態様の撮像装置は、撮像光学系を通して被写体を撮像素子により撮像して得られた画像信号を出力する撮像部と、画像信号に応じた撮像画像を表示する表示部と、撮像画像における被写体の画像が含まれる分割対象領域として、撮像画像の一部の領域である被写体の画像を含む被写体領域を少なくとも１つ抽出し、抽出した被写体領域を分割した複数の分割領域毎に、露出の度合いが異なる画像として表示部に表示させる制御を行う制御部と、を備える。
第５の態様の撮像装置は、第１の態様から第４の態様のいずれか１態様の撮像装置において、制御部は、複数の分割領域と異なる、撮像画像を分割して得られた複数の撮像領域のうち、露出の度合いの制御を行う撮像領域の画像の露出の度合いを、複数の分割領域のいずれか１つの分割領域に応じた画像の露出の度合いとされている。
【手続補正７】
【補正対象書類名】明細書
【補正対象項目名】００１２
【補正方法】変更
【補正の内容】
【００１２】
第６の態様の撮像装置は、第５の態様の撮像装置において、複数の分割領域の各々は、露出の度合いの制御を行う撮像領域の一部を含む、とされている。
【手続補正８】
【補正対象書類名】明細書
【補正対象項目名】００１３
【補正方法】変更
【補正の内容】
【００１３】
第７の態様の撮像装置は、第１の態様から第４の態様のいずれか１態様の撮像装置において、制御部は、撮像画像の露出の度合いを、表示部に表示された複数の分割領域から選択された分割領域に対応する画像に応じた露出の度合いとする、とされている。
【手続補正９】
【補正対象書類名】明細書
【補正対象項目名】００１４
【補正方法】変更
【補正の内容】
【００１４】
第８の態様の撮像装置は、第５の態様または第６の態様の撮像装置において、制御部は、撮像画像における、予め定められた閾値より輝度が高い領域を、露出の度合いの制御を行う撮像領域とする、とされている。
【手続補正１０】
【補正対象書類名】明細書
【補正対象項目名】００１５
【補正方法】変更
【補正の内容】
【００１５】
第９の態様の撮像装置は、第５の態様から第８の態様のいずれか１態様の撮像装置において、制御部は、撮像画像の輝度と画素数との対応関係を表すヒストグラムを導出し、ヒストグラムにおいて予め定められた条件を満たす輝度に基づいて撮像画像から導出した境界線を用いて、撮像画像を複数の撮像領域に分割する、とされている。
【手続補正１１】
【補正対象書類名】明細書
【補正対象項目名】００１６
【補正方法】変更
【補正の内容】
【００１６】
第１０の態様の撮像装置は、第９の態様の撮像装置において、制御部は、ヒストグラムにおいて、輝度値のピークとピークとの谷間に応じた輝度値を、境界線の輝度とする、とされている。
【手続補正１２】
【補正対象書類名】明細書
【補正対象項目名】００１７
【補正方法】変更
【補正の内容】
【００１７】
第１１の態様の撮像装置は、第９の態様または第１０の態様の撮像装置において、制御部は、露出の度合いを制御する単位となる第１の解像度が、撮像画像の第２の解像度よりも低い場合は、境界線を用いて、第２の解像度に応じて撮像画像を複数の領域に分割し、複数の領域に基づいて、撮像画像を、第１の解像度に応じた複数の撮像領域に分割する、とされている。
【手続補正１３】
【補正対象書類名】明細書
【補正対象項目名】００１８
【補正方法】変更
【補正の内容】
【００１８】
第１２の態様の撮像装置は、第１の態様から第１１の態様のいずれか１態様の撮像装置において、制御部は、さらに、分割対象領域のダイナミックレンジを制御する、とされている。
【手続補正１４】
【補正対象書類名】明細書
【補正対象項目名】００１９
【補正方法】変更
【補正の内容】
【００１９】
第１３の態様の撮像装置の制御方法は、撮像光学系を通して被写体を撮像素子により撮像して得られた画像信号に応じた撮像画像を表示部に表示させ、撮像画像における被写体の画像が含まれる分割対象領域を分割した複数の分割領域毎に、分割領域の画像を、露出の度合いが、複数の分割領域の並び方向に予め定められた割合で異なる画像として表示部に表示させる制御を行う、処理を含む。
第１４の態様の撮像装置の制御方法は、撮像光学系を通して被写体を撮像素子により撮像して得られた画像信号に応じた撮像画像を表示部に表示させ、撮像画像における被写体の画像が含まれる分割対象領域として、撮像画像の一部の領域である被写体の画像を含む被写体領域を少なくとも１つ抽出し、抽出した被写体領域を分割した複数の分割領域毎に、露出の度合いが異なる画像として表示部に表示させる制御を行う、処理を含む。
【手続補正１５】
【補正対象書類名】明細書
【補正対象項目名】００２０
【補正方法】変更
【補正の内容】
【００２０】
第１５の態様の撮像装置の制御プログラムは、コンピュータに、撮像光学系を通して被写体を撮像素子により撮像して得られた画像信号に応じた撮像画像を表示部に表示させ、撮像画像における被写体の画像が含まれる分割対象領域を分割した複数の分割領域毎に、分割領域の画像を、露出の度合いが、複数の分割領域の並び方向に予め定められた割合で異なる画像として表示部に表示させる制御を行う、処理を実行させるためのものである。
第１６の態様の撮像装置の制御プログラムは、コンピュータに、撮像光学系を通して被写体を撮像素子により撮像して得られた画像信号に応じた撮像画像を表示部に表示させ、撮像画像における被写体の画像が含まれる分割対象領域として、撮像画像の一部の領域である被写体の画像を含む被写体領域を少なくとも１つ抽出し、抽出した被写体領域を分割した複数の分割領域毎に、露出の度合いが異なる画像として表示部に表示させる制御を行う、処理を実行させるためのものである。
【国際調査報告】
2018235382.tif 000024
2018235382.tif 000025
2018235382.tif 000026
2018235382.tif 000027